(57)【要約】【課題】コスト高となるのを防止する。【解決手段】コネクタ１は、互いに嵌合可能な第１、２ハウジング１０、３０と、第２ハウジング３０にその電線引出面３１を覆うように取り付けられる電線カバー６０と、第２ハウジング３０に装着され、初期位置から完了位置にかけて変位することによって作用する倍力機構により、両ハウジング１０、３０を正規嵌合状態に至らすレバー８０とを備えている。電線カバー６０には係合ピン８３が設けられ、レバー８０には係合溝６６が設けられ、電線カバー６０は、第２ハウジング３０に対して仮係止位置と本係止位置とを移動可能に取り付けられている。電線カバー６０の本係止位置への移動により、係合ピン８３が係合溝６６の溝面を押圧して、レバー８０が完了位置へ変位する。【選択図】図２
2009277588.tif 000002
【特許請求の範囲】
【請求項１】
第１ハウジングと、前記第１ハウジングに嵌合可能な第２ハウジングと、前記第２ハウジングに取り付けられ、前記第２ハウジングの電線引出面を覆うことでこの電線引出面から引き出される電線の向きを規定する電線カバーと、前記両ハウジングのいずれか一方に装着され、かつ初期位置から完了位置にかけて変位することによって作用する倍力機構により、前記両ハウジングを正規嵌合状態に至らす倍力部材とを備え、
前記電線カバーには押圧部が設けられ、前記倍力部材には押圧受部が設けられ、前記電線カバーは、前記第２ハウジングに対して仮係止位置と本係止位置とを移動可能に取り付けられ、
前記電線カバーが前記仮係止位置から前記本係止位置へ移動することにより、前記押圧部が前記押圧受部を押圧して、前記倍力部材が前記完了位置へ変位することを特徴とするコネクタ。
【請求項２】
前記倍力部材は、前記初期位置から前記完了位置にかけて回動し、その回動によってカム作用を発揮するレバーによって構成され、
前記押圧部と前記押圧受部のいずれか一方は係合ピンからなり、他方は前記係合ピンを受けて前記両ハウジングの嵌合方向と交差する方向に延びる係合溝からなり、
前記倍力部材の回動に伴って前記係合ピンが前記係合溝内を移動する請求項１記載のコネクタ。
【請求項３】
前記係合溝の溝面に前記係合ピンが摺動することにより、前記係合溝と前記係合ピンとの間で倍力機構が作用する請求項２記載のコネクタ。
【請求項４】
前記係合溝の溝面に前記係合ピンが摺動することにより、前記係合溝と前記係合ピンとの間で倍力機構が作用しない請求項２記載のコネクタ。
【請求項５】
前記電線カバーは、前記仮係止位置から前記本係止位置にかけて、前記第２ハウジングへの前記電線の挿入方向と同方向に移動する請求項１ないし４のいずれか１項記載のコネクタ。
【請求項６】
前記第２ハウジングにはガイド部が設けられ、前記電線カバーには前記ガイド受部が設けられ、前記ガイド部と前記ガイド受部とが互いに係合することで、前記電線カバーの前記仮係止位置から前記本係止位置への移動案内がなされる請求項１ないし５のいずれか１項記載のコネクタ。
【請求項７】
前記電線カバーには、前記本係止位置において前記倍力部材の略全体を覆う覆い壁が設けられている請求項１ないし６のいずれか１項記載のコネクタ。
【請求項８】
前記電線カバーには、前記電線と前記倍力部材との間に両者の干渉を回避する仕切り壁が設けられている請求項１ないし７のいずれか１項記載のコネクタ。
【発明の詳細な説明】
【技術分野】
【０００１】
本発明は、コネクタに関する。
【背景技術】
【０００２】
特許文献１に記載のコネクタは、互いに嵌合可能な第１、２ハウジングと、第２ハウジングを支持するホルダーと、ホルダーと第２ハウジングとの間に両者と係合可能に配置されるレバーとを備えて構成されている。ホルダーは第２ハウジングに対して仮係止位置と本係止位置との間を移動可能とされている。また、レバーはホルダーの移動に伴って回動され、その回動によって発揮される倍力機構により、両ハウジングを正規嵌合状態に至らすようになっている。
【特許文献１】特開平１１−２６０７９公報
【発明の開示】
【発明が解決しようとする課題】
【０００３】
上記の場合、レバーはホルダーの直線移動によって回動されるため、レバーの回動操作が困難な場所で好適に利用される。しかし、レバーとは別に専用のホルダーを用意する必要があるため、コストが高くつくという事情がある。
【０００４】
本発明は上記のような事情に基づいて完成されたものであって、コスト高となるのを防止することを目的とする。
【課題を解決するための手段】
【０００５】
上記の目的を達成するための手段として、請求項１の発明は、第１ハウジングと、前記第１ハウジングに嵌合可能な第２ハウジングと、前記第２ハウジングに取り付けられ、前記第２ハウジングの電線引出面を覆うことでこの電線引出面から引き出される電線の向きを規定する電線カバーと、前記両ハウジングのいずれか一方に装着され、かつ初期位置から完了位置にかけて変位することによって作用する倍力機構により、前記両ハウジングを正規嵌合状態に至らす倍力部材とを備え、前記電線カバーには押圧部が設けられ、前記倍力部材には押圧受部が設けられ、前記電線カバーは、前記第２ハウジングに対して仮係止位置と本係止位置とを移動可能に取り付けられ、前記電線カバーが前記仮係止位置から前記本係止位置へ移動することにより、前記押圧部が前記押圧受部を押圧して、前記倍力部材が前記完了位置へ変位する構成としたところに特徴を有する。
【０００６】
請求項２の発明は、請求項１に記載のものにおいて、前記倍力部材は、前記初期位置から前記完了位置にかけて回動し、その回動によってカム作用を発揮するレバーによって構成され、前記押圧部と前記押圧受部のいずれか一方は係合ピンからなり、他方は前記係合ピンを受けて前記両ハウジングの嵌合方向と交差する方向に延びる係合溝からなり、前記倍力部材の回動に伴って前記係合ピンが前記係合溝内を移動するところに特徴を有する。
【０００７】
請求項３の発明は、請求項２に記載のものにおいて、前記係合溝の溝面に前記係合ピンが摺動することにより、前記係合溝と前記係合ピンとの間で倍力機構が作用するところに特徴を有する。
【０００８】
請求項４の発明は、請求項２に記載のものにおいて、前記係合溝の溝面に前記係合ピンが摺動することにより、前記係合溝と前記係合ピンとの間で倍力機構が作用しないところに特徴を有する。
【０００９】
請求項５の発明は、請求項１ないし請求項４のいずれかに記載のものにおいて、前記電線カバーは、前記仮係止位置から前記本係止位置にかけて、前記第２ハウジングへの前記電線の挿入方向と同方向に移動するところに特徴を有する。
【００１０】
請求項６の発明は、請求項１ないし請求項５のいずれかに記載のものにおいて、前記第２ハウジングにはガイド部が設けられ、前記電線カバーには前記ガイド受部が設けられ、前記ガイド部と前記ガイド受部とが互いに係合することで、前記電線カバーの前記仮係止位置から前記本係止位置への移動案内がなされるところに特徴を有する。
【００１１】
請求項７の発明は、請求項１ないし請求項６のいずれかに記載のものにおいて、前記電線カバーには、前記本係止位置において前記倍力部材の略全体を覆う覆い壁が設けられているところに特徴を有する。
【００１２】
請求項８の発明は、請求項１ないし請求項７のいずれかに記載のものにおいて、前記電線カバーには、前記電線と前記倍力部材との間に両者の干渉を回避する仕切り壁が設けられているところに特徴を有する。
【発明の効果】
【００１３】
＜請求項１の発明＞
仮係止位置から本係止位置への電線カバーの移動によって押圧部が押圧受部を押圧し、これによって倍力部材が完了位置へ変位するため、電線カバーとは別に倍力部材を変位させるための専用部材を用意するよりも部品点数が減り、コスト高となるのが防止される。
【００１４】
＜請求項２の発明＞
押圧部と押圧受部のいずれか一方は係合ピンからなり、他方は係合ピンを受けて両ハウジングの嵌合方向と交差する方向に延びる係合溝からなり、倍力部材の回動に伴って係合ピンが係合溝内を移動するため、電線カバーを本係止位置から仮係止位置へ移動することにより、倍力部材を完了位置から初期位置へと戻り方向に変位させることもできる。
【００１５】
＜請求項３の発明＞
係合溝と係合ピンとの間で倍力機構が作用するため、倍力部材の倍力機構と相俟って両ハウジングの嵌合速度が速まり、電線カバーの移動ストロークを小さく設定できる。
【００１６】
＜請求項４の発明＞
係合溝と係合ピンとの間で倍力機構が作用しないため、電線カバーの単位移動量あたりの操作力が低減され、電線カバーの移動をスムーズに行うことができる。
【００１７】
＜請求項５の発明＞
電線カバーは第２ハウジングへの電線の挿入方向と同方向に移動するため、電線の挿入方向と交差する方向で電線カバーの移動が規制される場合に、電線カバーの移動をスムーズに行うことができる。
【００１８】
＜請求項６の発明＞
ガイド部とガイド受部とが互いに係合することで、電線カバーの仮係止位置から本係止位置への移動案内がなされるから、電線カバーが円滑に移動される。
【００１９】
＜請求項７の発明＞
電線カバーには本係止位置において倍力部材の略全体を覆う覆い壁が設けられているため、倍力部材が外部から保護される。
【００２０】
＜請求項８の発明＞
電線カバーには電線とレバーとの間に両者の干渉を回避する仕切り壁が設けられているため、倍力部材の変位がスムーズに行われるとともに、倍力機構との干渉に起因する電線の損傷が防止される。
【発明を実施するための最良の形態】
【００２１】
＜実施形態１＞
本発明の実施形態１を図１ないし図７によって説明する。実施形態１のコネクタ１は、第１ハウジング１０と、第２ハウジング３０と、第２ハウジング３０に取り付けられる電線カバー６０及びレバー８０とを備えて構成されている。
【００２２】
第１ハウジング１０は合成樹脂製であって、図１及び図６に示すように、雄型端子金具（図示せず）を収容可能なブロック状の端子収容部１１と、端子収容部１１の前端から前方へ突出するフード部１２とからなる。フード部１２内には雄型端子金具の先端部が突出して配置されている。フード部１２の左右両側面には、幅方向中央よりも偏心した位置に、前後方向に延びて前端に開口する一対の受け溝１３が切り欠いて設けられている。また、フード部１２の左右両側面には、受け溝１３の終端近くに、円柱状をなす一対のフォロアピン１４が突出して設けられている。
【００２３】
第２ハウジング３０は合成樹脂製であって、全体として雌型端子金具（図示せず）を収容可能なブロック状をなし、相手側のフード部１２内に嵌合可能とされている。両ハウジング１０、３０は、いずれも幅方向に細長い形状をなしている。第２ハウジング３０の後面は、図６に示すように、雌型端子金具に接続された電線が引き出される電線引出面３１とされ、この電線引出面３１を後方から覆うように電線カバー６０が配置されている。
【００２４】
第２ハウジング３０の左右両側面には、図５に示すように、電線カバー６０を係止する係止部３２が後方へ撓み可能に延出して設けられている。係止部３２は、外側に突出する係止爪３３を有し、左右各側面に一対ずつ計２対設けられている。また、第２ハウジング３０の左右両側面には、幅方向中央より偏心した位置に、受け溝１３内に進入可能なガイド部３４が嵩上げして設けられている。ガイド部３４は前後方向に延びる扁平台状をなし、そのフラットな端面にはレバー８０を回動可能に支持する一対の支軸３５が突出して設けられている。
【００２５】
続いてレバー８０について説明すると、レバー８０は合成樹脂製であって、第２ハウジング３０の左右両側面の沿うよう対をなして設けられ、初期位置と完了位置との間を変位可能とされている。詳しくはレバー８０は、図１に示すように、全体として板状をなし、その内部に支軸３５を受ける軸受孔８１が貫通して設けられている。また、レバー８０は、ガイド部３４による嵩上げによって第２ハウジング３０の左右両側面との間に隙間を有し、この隙間に前方から相手側のフード部１２が進入可能とされている。
【００２６】
レバー８０にはフォロアピン１４と係合可能なカム溝８２が形成されている。カム溝８２の終端は軸受孔８１の近傍に到達し、カム溝８２の始端はレバー８０の周縁に開口している。レバー８０は支軸３５を中心として初期位置と完了位置とを回動可能とされ、初期位置ではカム溝８２の始端が前方へ向けて開き、前方からフォロアピン１４を受け入れ可能とされている。レバー８０のうちカム溝８２及び軸受孔８１の形成領域から離れた端部には、略円柱状の係合ピン８３が外向きに突出して設けられている。
【００２７】
電線カバー６０は同じく合成樹脂製であって、第２ハウジング３０の後端に取り付けられ、仮係止位置と本係止位置との間を前後方向（両ハウジング１０、３０の嵌合・離脱方向）に移動可能とされている。詳しくは電線カバー６０は、全体としてキャップ状をなし、図６に示すように、第２ハウジング３０の電線引出面３１と間隔をあけて略平行に対峙する背板６１と、背板６１の両側縁から前方へ張り出す左右一対の側板６２と、両側板６２及び背板６１とつながって幅方向の一端を閉止する閉止板６３とからなり、幅方向の他端は電線引出口６４として開放されている。第２ハウジング３０の電線引出面３１から引き出された電線群９０は、図７に示すように、背板６１によって強制的に屈曲可能とさせられ、電線引出口６４を通して幅方向の他側へ導出される。
【００２８】
側板６２には、図１及び図４に示すように、完了位置におけるレバー８０の略全体を覆うポケット状の覆い壁６５が外側に膨出して設けられている。覆い壁６５の幅方向の一端部には係合ピン８３と係合可能な係合溝６６が幅方向に延出して設けられている。電線カバー６０の移動に伴って係合ピン８３が係合溝６６の溝面を摺接することにより、レバー８０が初期位置と完了位置とを変位するとともに、両ハウジング１０、３０を低操作力で嵌合可能な倍力機構が作用するようになっている。覆い壁６５と側板６２との間にはレバー８０の収容凹部６７が前方に開口して設けられ、側板６２のうち覆い壁６５の内側で対向する位置には、電線群９０とレバー８０との干渉を回避する仕切り壁６８が設けられている。
【００２９】
また、側板６２には、覆い壁６５の内側と対向する位置に、ガイド部３４と係合可能な溝状のガイド受部６９が前後方向に延出して設けられている。ガイド部３４の両側面がガイド受部６９の両側溝面に摺接することにより、ガイド部３４の幅方向への遊動が規制されて、第２ハウジング３０に対する電線カバー６０の相対変位が前後方向のみ許容されている。
【００３０】
また、側板６２には、仮係止位置にて係止部３２に係止される仮係止受部７１と本係止位置にて係止部３２に係止される本係止受部７２とが前後方向に間隔をあけて並んで設けられている。仮係止受部７１及び本係止受部７２は、係止部３２と対応するよう、各側板６２の幅方向に一対ずつ計２対設けられている。仮係止受部７１は係止爪３３と対応して方形に開口する形態とされている。また、本係止受部７２は前後方向に延びて背板６１に開口する形態とされ、その内側に背板６２から延びる内側壁７３により方形の開口領域を余して区切られている。側板６２の内面には仮係止受部７１から本係止受部７２側に延びる薄肉の凹部７４が形成され、この凹部７４によって係止爪３３の移動案内がなされる。凹部７４の両側には前後方向に延びるスリット７６が対をなして設けられ、係止部３２の通過時における凹部の周辺の弾性撓みが許容されている。
【００３１】
次に、実施形態１のコネクタ１の作用効果を説明する。
図１、図４及び図６に示すように、電線カバー６０と第２ハウジング３０との間にレバー８０を介在させ、軸受孔８１内に支軸３５を嵌合させるとともに、係合溝６６内に係合ピン８３を嵌合させる。また、図５に示すように、仮係止受部７１内に係止部３２の係止爪３３を嵌合させることにより、電線カバー６０を仮係止位置に保持させる。すると、係合溝６６と係合ピン８３との係合によってレバー８０が初期位置に保持される。このとき、係合ピン８３は係合溝６６の幅方向の他端側に位置する。
【００３２】
続いて、図２に示すように、第１ハウジング１０のフード部１２内に第２ハウジング３０を浅く嵌合し、受け溝１３内にガイド部３４を進入させるとともに、カム溝８２の入り口内にフォロアピン１４を進入させる。その状態で、電線カバー６０を前方へ向けて押し込み、その押し込み力でもって係止部３２と仮係止受部７１との係止状態を解除させる。電線カバー６０の移動に伴い、係合ピン８３が係合溝６６内を幅方向の一端側へ移動し、レバー８０が支軸３５を中心として図示反時計回りに回動する。
【００３３】
電線カバー６０が本係止位置に至る過程では、フォロアピン１４がカム溝８２の溝面に沿って移動するとともに、係合ピン８３が係合溝６６の溝面に沿って移動することにより、両ハウジング１０、３０を低操作力で嵌合する倍力機構が作用する。またこの間、ガイド部３４が受け溝１３内に嵌合しながらガイド受部６９にも嵌合し、ガイド部３４を介して両ハウジング１０、３０の嵌合案内がなされる。
【００３４】
図３に示すように、電線カバー６０が本係止位置に至ると、フォロアピン１４がカム溝８２の奥端に到達するとともに、ガイド部３４がガイド受部６９の奥端に到達し、かつ係合ピン８３が係合溝６６の幅方向中間部に到達する。これにより、両ハウジング１０、３０が正規嵌合状態になるとともに、レバー８０が完了位置に至る。また、本係止受部７２内に係止部３２の係止爪３３が嵌合して、電線カバー６０が本係止位置にて保持され、ひいては両ハウジング１０、３０、電線カバー６０及びレバー８０のそれぞれの相対変位が規制される。このとき、図７に示すように、第２ハウジング３０はフード部１２内に深く嵌合されるとともに、電線群９０は背板６１の内面に沿って電線引出口６４側へ強制的に屈曲変位させられる。またこのとき、レバー８０は、係合ピン８３を除いて覆い壁６５内に隠蔽状態で覆われる。
【００３５】
両ハウジング１０、３０を離脱させる場合には、係止部３２と本係止受部７２との係止状態を解除した後、電線カバー６０を仮係止位置側へ後退させる。すると、係合ピン８３が係合溝６６における上記とは反対側の溝面を摺動してレバー８０が戻り方向に回動され、これによって両ハウジング１０、３０が互いに引き離される。
【００３６】
以上説明したように実施形態１のコネクタ１によれば、仮係止位置から本係止位置への電線カバー６０の移動によって係合ピン８３が係合溝６６の溝面を押圧し、これによってレバー８０が初期位置から完了位置に変位するため、電線カバー６０とは別にレバー８０を変位させるための専用部材を用意するよりも部品点数が減り、コスト高となるのが防止される。
【００３７】
また、係合ピン８３が係合溝６６内を両ハウジング１０、３０の嵌合方向とは交差する方向に移動するため、電線カバー６０の仮係止位置への移動により、レバー８０を完了位置から初期位置へと戻り方向に回動させることができる。
また、係合溝６６と係合ピン８３との間で倍力機構が作用するため、レバー８０の倍力機構と相俟って両ハウジング１０、３０の嵌合速度が速まり、電線カバー６０の移動ストロークを小さく設定できる。
また、電線カバー６０は第２ハウジング３０への電線の挿入方向と同方向に移動するため、電線の挿入方向と交差する方向で障害物があるなど電線カバー６０の移動が規制される場合に、電線カバー６０の移動をスムーズに行うことができる。
【００３８】
また、ガイド部３４とガイド受部６９とが互いに係合することで、電線カバー６０の仮係止位置から本係止位置への移動案内がなされるから、電線カバー６０が円滑に移動される。
また、電線カバー６０には本係止位置においてレバー８０の略全体を覆う覆い壁６５が設けられているため、レバー８０が保護状態に置かれる。
さらに、電線カバー６０には電線群９０とレバー８０との間に両者の干渉を回避する仕切り壁６８が設けられているため、レバー８０の変位がスムーズに行われるとともに、レバー８０との干渉に起因する電線群９０の損傷が防止される。
【００３９】
＜他の実施形態＞
本発明は上記記述及び図面によって説明した実施形態に限定されるものではなく、例えば次のような実施形態も本発明の技術的範囲に含まれる。
（１）レバーの代わりに、電線カバーの移動に伴って直線状に変位するスライダーを倍力部材として用いてもよい。
（２）電線カバーは第１ハウジングに対して仮係止位置と本係止位置との間を移動可能に装着されてもよい。
（３）係合溝を円弧形状となし、係合溝と係合ピンとの間で倍力機構が作用しない構成としてもよい。これによれば、電線カバーのスムーズな移動が実現される。
（４）係合ピンが係合相手の係合面を押圧することにより、倍力部材が変位される構成であればよく、係合相手としては係合溝に限らず、単なる電線カバーの端部であってもよい。これによれば、電線カバーの構造の簡素化を図れる。
（５）係合ピンが電線カバーに設けられ、係合溝がレバーに設けられていてもよい。
【図面の簡単な説明】
【００４０】
【図１】本発明の実施形態１のコネクタに係り、両ハウジングを嵌合する前の状態を示す正面図である。
【図２】両ハウジングを浅く嵌合した状態を示す正面図である。
【図３】両ハウジングを正規嵌合した状態を示す正面図である。
【図４】図１のＡ−Ａ断面図である。
【図５】図１のＢ−Ｂ断面図である。
【図６】両ハウジングを嵌合する前の状態を示す縦断面図である。
【図７】両ハウジングを正規嵌合した状態を示す正面図である。
【符号の説明】
【００４１】
１…コネクタ
１０…第１ハウジング
１４…フォロアピン
３０…第２ハウジング
３１…電線引出面
３４…ガイド部
６０…電線カバー
６５…覆い壁
６６…係合溝（押圧受部）
６９…ガイド受部
８０…レバー（倍力部材）
８２…カム溝
８３…係合ピン（押圧部）
【図１】
2009277588.tif 000003
【図２】
2009277588.tif 000004
【図３】
2009277588.tif 000005
【図４】
2009277588.tif 000006
【図５】
2009277588.tif 000007
【図６】
2009277588.tif 000008
【図７】
2009277588.tif 000009